(57)【要約】【課題】篩分効率を向上させた篩装置のスクリーン用の篩分効率向上具、篩分効率を向上させた篩装置のスクリーン及び篩分効率を向上させた篩装置を提供すること。【解決手段】篩分効率向上具６１，６２，６３は、上流側に篩分対象物が投入され、下流側で篩分けられた残留物が排出される篩装置１のスクリーン５に立設しており、スクリーン５の上流から下流の間で篩分対象物の流れを阻害し、篩分対象物がスクリーン５上に滞在する時間を長くするようになっている。【選択図】  図１
2018043201.tif 000002
【特許請求の範囲】
【請求項１】
上流側に篩分対象物が投入され、下流側で篩分けられた残留物が排出される篩装置のスクリーンに立設しており、
前記スクリーンの上流から下流の間で篩分対象物の流れを阻害し、篩分対象物がスクリーン上に滞在する時間を長くすることを特徴とする篩装置のスクリーン用の篩分効率向上具。
【請求項２】
篩分効率向上具は、スクリーンに取り付け及び取り外し自在となっていることを特徴とする請求項１に記載の篩装置のスクリーンの篩分効率向上具。
【請求項３】
篩分効率向上具は、二つの平面若しくは二つの曲面がなす角部又は尖った縁部を有しており、これらの角部及び尖った縁部の先端は、篩分対象物の流れの方向とは反対方向に向くように配置されているものを含むことを特徴とする請求項１又は２に記載の篩装置のスクリーンの篩分効率向上具。
【請求項４】
篩分効率向上具は、前記角部及び前記尖った縁部に向かって篩分対象物の流れを案内するように設けられているものを含むことを特徴とする請求項３に記載の篩分効率向上具。
【請求項５】
篩分効率向上具は、スクリーンの幅方向に対向し上流から下流に向かって延びるスクリーンの外縁近傍から前記スクリーンの幅方向中央に向かって篩分対象物の流れを案内するように設けられているものを含むことを特徴とする請求項１乃至４のいずれかに記載の篩装置のスクリーンの篩分効率向上具。
【請求項６】
上流側に篩分対象物が投入され、下流側で篩分けられた残留物が排出される篩装置のスクリーンであって、
請求項１乃至５のいずれかの篩分効率向上具を有する特徴とする篩装置用のスクリーン。
【請求項７】
上流側に篩分対象物が投入され、下流側で篩分けられた残留物が排出されるスクリーンを有している篩装置であって、
請求項６のスクリーンを備えること特徴とする篩装置。
【発明の詳細な説明】
【技術分野】
【０００１】
本発明は、篩装置に関するものであり、特に篩分対象物がスクリーン上に滞在する時間を長くすることができる篩装置のスクリーン用の篩分効率向上具、篩装置用のスクリーン及び篩装置に関する。
【背景技術】
【０００２】
多様な大きさの固体を含む対象物を、大きさごとに連続して大量に分離するために篩装置が用いられる。
【０００３】
このような篩装置として、特許文献１に示すものがある。特許文献１に記載の篩装置は、スクリーンである篩網へ篩分対象物である破砕産物を投入して篩分け処理をする。投入された破砕産物は、篩網の上流から下流に向かって流れる過程で、スクリーンを通過する固体とスクリーン上に留まる固体とに分離されることとなる。
【先行技術文献】
【特許文献】
【０００４】
【特許文献１】特開平１０−５２６５０号公報
【発明の概要】
【発明が解決しようとする課題】
【０００５】
上記特許文献１に示すような篩装置では、篩運動条件、篩分対象物の形状及び大きさ、並びに、スクリーンの穴の形状及び配置等の様々な要因によって、篩分対象物が篩網上で上流から下流に向かって流れる過程で、篩分対象物を大きさごとに十分に分離できず篩分効率が向上しないという問題がある。
【０００６】
そこで、上記点より本発明は、篩分効率を向上させた篩装置のスクリーン用の篩分効率向上具、篩分効率を向上させた篩装置のスクリーン及び篩分効率を向上させた篩装置を提供することを目的とする。
【課題を解決するための手段】
【０００７】
上記課題を解決するため、請求項１の篩分効率向上具は、上流側に篩分対象物が投入され、下流側で篩分けられた残留物が排出される篩装置のスクリーンに立設しており、前記スクリーンの上流から下流の間で篩分対象物の流れを阻害し、篩分対象物がスクリーン上に滞在する時間を長くするようになっている。
【０００８】
請求項１の篩分効率向上具によれば、篩分対象物がスクリーン上に滞在する時間を長くするようになっているので、篩分効率を向上させることができる。そのため、十分に分離できなかった篩分対象物をスクリーンの下流から上流に向かって戻すラインを別途設ける必要がない、若しくは、戻りラインで戻す回数を減らすことができる。したがって、篩分けに必要なエネルギーを抑制することができる。
【０００９】
請求項２の篩分効率向上具は、請求項１の篩分効率向上具において、篩分効率向上具は、スクリーンに取り付け及び取り外し自在となっている。
【００１０】
請求項２の篩分効率向上具によれば、請求項１の篩分効率向上具と同様に作用する上に、既存の篩装置のスクリーンに取り付けることができる。また、篩分対象物がスクリーン上に滞在する時間をより長くすることができるように、スクリーンの任意の位置に取り付けることが可能となる。そのため、篩分対象物又は篩運動等に応じて、より篩分効率向上を実現することができる。
【００１１】
請求項３の篩分効率向上具は、請求項１又は２の篩分効率向上具において、篩分効率向上具は、二つの平面若しくは二つの曲面がなす角部又は尖った縁部を有しており、これらの角部及び尖った縁部の先端は、篩分対象物の流れの方向とは反対方向に向くように配置されているものを含む。
【００１２】
篩分対象物は、複数の固体が塊となっている場合がある、その塊がスクリーンの孔より大きい場合、その塊はスクリーンを通過できない。そのため、塊を構成する複数の固体は篩分けされずとして下流から排出されてしまうこととなる。請求項３の篩分効率向上具によれば、請求項１又は２の篩分効率向上具と同様に作用する上に、塊が上流から下流に向かって流れる過程で篩分効率向上具の角部又は尖った縁部に衝突すると、塊が複数の固体に分かれる。分かれた固体はスクリーンで篩分け可能となるので、さらに篩分効率向上を実現することができる。
【００１３】
請求項４の篩分効率向上具は、請求項３の篩分効率向上具において、篩分効率向上具は、前記角部及び前記尖った縁部に向かって篩分対象物の流れを案内するように設けられているものを含む。
【００１４】
請求項４の篩分効率向上具によれば、請求項３の篩分効率向上具と同様に作用する上に、請求項３の篩分効率向上具の角部及び尖った縁部に向かって、請求項４の篩分効率向上具が篩分対象物の流れを案内することとなる。これにより、篩分対象物に含まれ、スクリーンの孔より大きな塊を請求項３の篩分効率向上具の角部及び尖った縁部に衝突させる確率を向上させることができる。この衝突よって、塊が複数の固体に分かれる。分かれた固体はスクリーンで篩分け可能となるので、さらに篩分効率向上を実現することができる。
【００１５】
請求項５の篩分効率向上具は、請求項１乃至４のいずれかの篩分効率向上具において、篩分効率向上具は、スクリーンの幅方向に対向し上流から下流に向かって延びるスクリーンの外縁近傍から前記スクリーンの幅方向中央に向かって篩分対象物の流れを案内するように設けられているものを含む。
【００１６】
篩装置において、スクリーンを支持するために、スクリーンの外縁近傍には穴が形成できない場合がある。そのため、スクリーンの幅方向に対向し上流から下流に向かって延びるスクリーンの外縁近傍では篩分対象物を篩分けることができない領域となる。上流から下流に至るまで篩分対象物がこの領域を流れてしまうことで、篩分効率が低下してしまうことがある。
【００１７】
請求項５の篩分効率向上具によれば、請求項１乃至４のいずれかの篩分効率向上具と同様に作用する上に、スクリーンの外縁近傍を流れる篩分け対象部をスクリーンの幅方向中央に向かって案内することで、篩分効率を向上させることができる。
【００１８】
請求項６の篩装置用のスクリーンは、上流側に篩分対象物が投入され、下流側で篩分けられた残留物が排出される篩装置のスクリーンであって、請求項１乃至５のいずれかの篩分効率向上具を有する。
【００１９】
請求項７の篩装置は、上流側に篩分対象物が投入され、下流側で篩分けられた残留物が排出されるスクリーンを有している篩装置であって、請求項６のスクリーンを備える。
【００２０】
請求項６の篩装置用のスクリーン及び請求項７の篩装置は、請求項１乃至５のいずれかと同様の作用効果を有する。
【発明の効果】
【００２１】
請求項１乃至５の篩分効率向上具、請求項６の篩装置用のスクリーン及び請求項７の篩装置は、優れた篩分効率を実現することができる。
【図面の簡単な説明】
【００２２】
【図１】本発明の篩分効率向上具を有する篩装置の側面方向からの概略斜視図である。
【図２】図１の篩装置の正面方向からの概略斜視図である。
【発明を実施するための形態】
【００２３】
本発明の一実施形態の篩装置１について、図面に基づいて説明する。
【００２４】
篩装置１は、図１に示すように、架台２と、架台２に対して揺動可能に取り付けられている篩支持体３と、篩支持体３に支持される篩本体４とを有する。
【００２５】
本実施形態の篩装置１で篩分けされる対象物は、木材チップである。
【００２６】
架台２には、篩支持体３を運動させる駆動部２１が収容されている。この駆動部２１が篩支持体３を運動させることによって、篩支持体３と篩本体４とが一体となって運動するようになっている。
【００２７】
篩本体４は、上面視で略矩形の箱体である。篩本体４は、図１の側面方向からの斜視図において、右側が上流となっており、左側が下流となっている。また、篩本体４は、図２の正面方向からの斜視図において、奥側が上流となっており、手前側が下流となっている。篩本体４は、図２の正面方向からの斜視図において、左右方向が幅方向となっている。
【００２８】
篩本体４は、図１及び図２に示すように、上流壁４１及び側壁４２，４２を有する。箱本体４の下流側には壁がなく開放されている。上流壁４１及び側壁４２，４２に囲まれた空間にはスクリーン５が敷設されている。側壁４２，４２は、スクリーン５の幅方向に対向し上流から下流に向かって延びるスクリーン５の外縁近傍にある。本実施形態では、スクリーン５の面は上流側から下流側に向かって傾斜した状態となっている。
【００２９】
スクリーン５の上流側に、篩分対象物が投入されるようになっている。篩本体４が運動することによって、投入された篩分対象物はスクリーン５上を下流に向かって流れていくようになっている。本実施形態では、スクリーン５が、平面内での旋回運動をするようになっている。
【００３０】
図１に示すように、スクリーン５には所定の大きさの孔５１が多数設けられている。スクリーン５上を流れる篩分対象物の中で、孔５１よりも小さいものはスクリーン５を通過して篩分けされることとなる。篩分対象物が篩分けられ、スクリーン５上に残った残留物は、箱本体４の下流側の開放されている部分から排出されるようになっている。また孔５１を通してスクリーン５を通過した通過物は残留物が排出される位置より、スクリーン５の下方かつ少し上流側の通過物排出口４３から排出されるようになっている。
【００３１】
スクリーン５には、篩分効率向上具として、上面視逆Ｖ型板６１及び流れ案内板６２，６３が立設している。
【００３２】
上面視逆Ｖ型板６１は、図２に示すように、スクリーン５に立設する方向に立ち上がる壁部６１ａと、壁部６１ａの下端からスクリーン５の表面に沿って延びる基部６１ｂとを有する。
【００３３】
同様に、流れ案内板６２，６３は、図２に示すように、それぞれスクリーン５に立設する方向に立ち上がる壁部６２ａ，６３ａと、壁部６２ａ，６３ａの下端からスクリーン５の表面に沿って延びる基部６２ｂ，６３ｂとを有する。
【００３４】
上面視逆Ｖ型板６１及び流れ案内板６２，６３は、スクリーン５に取り付け及び取り外し自在となっている。図１及び図２では記載を省略しているが、例えば、ボルト及びナットによって、上面視逆Ｖ型板６１の基部６１ｂ及び流れ案内板６２，６３の基部６２ｂ，６３ｂがスクリーン５に当接した状態で固定可能となっている。
【００３５】
図２に示すように、上面視逆Ｖ型板６１の基部６１ｂ及び流れ案内板６２，６３の基部６２ｂ，６３ｂは、スクリーン５の表面に沿って下流側に向かって延びるように、スクリーン５に取り付けられるようになっている。上面視逆Ｖ型板６１の基部６１ｂ及び流れ案内板６２，６３の基部６２ｂ，６３ｂと、スクリーン５との段差に上流から下流に向かって流れる篩分対象物が貯まってしまわないようにするためである。
【００３６】
上面視逆Ｖ型板６１は、壁部６１ａ，６１ａの二つの平面がなす角部を有している。上面視逆Ｖ型板６１は、この角部の先端が篩分対象物の流れの方向とは反対方向に向くように配置されている。言い換えると、上面視逆Ｖ型板６１は、Ｖ型の折れている部分が上流側に向かって飛び出ているように配置されている。
【００３７】
スクリーン５上を上流から下流に流れる篩分対象物が上面視逆Ｖ型板６１の壁部６１ａに到達すると、篩分対象物は壁部６１ａに沿って側端に向かって案内される。この篩分対象物が案内される方向は、上流から下流に向かって流れる方向と異なっている。具体的には、篩分対象物が案内されている場合の上流から下流へ流れる方向の速度成分は、篩分対象物が案内されてない場合の上流から下流へ流れる方向の速度成分よりも小さくなっている。そのため、上面視逆Ｖ型板６１は、スクリーン５の上流から下流の間で篩分対象物の流れを阻害し、篩分対象物がスクリーン５上に滞在する時間を長くすることができる。案内された篩分対象物は、壁部６１ａの側端を越えて、再び下流に向かって流れる。
【００３８】
スクリーン５上を上流から下流に流れる篩分対象物の中に複数の固体から構成される塊があった場合、その塊が上面視逆Ｖ型板６１の角部や壁部６１ａに衝突することによって、その塊を複数の固体に分かれさせることができる。
【００３９】
図１及び図２に示すように、流れ案内板６２は、壁部６２ａの両側端がスクリーン５の幅方向に広がるようになっている。流れ案内板６２は、壁部６２ａの一方の側端が他方の側端より下流側に位置するようになっている。
【００４０】
スクリーン５上を上流から下流に流れる篩分対象物が流れ案内板６２の壁部６２ａに到達すると、篩分対象物は壁部６２ａに沿って一方の側端に向かって案内される。この篩分対象物が案内される方向は、上流から下流に向かって流れる方向と異なっている。上記上面視逆Ｖ型板６１と同様に、流れ案内板６２は、スクリーン５の上流から下流の間で篩分対象物の流れを阻害し、篩分対象物がスクリーン５上に滞在する時間を長くすることができる。案内された篩分対象物は、壁部６２ａの一方の側端を越えて、再び下流に向かって流れる。
【００４１】
スクリーン５上を上流から下流に流れる篩分対象物の中に複数の固体から構成される塊があった場合、その塊が上面視逆Ｖ型板６１と同様に、流れ案内板６２の壁部６２ａに衝突することによって、その塊を複数の固体に分かれさせることができる。
【００４２】
壁部６２ａの一方の側端の下流の位置に、上面視逆Ｖ型板６１の角部が配置されている。したがって、流れ案内板６２は、上面視逆Ｖ型板６１の角部に向かって篩分対象物の流れを案内するようになっている。
【００４３】
図１及び図２に示すように、流れ案内板６３も、流れ案内板６２と同様に、壁部６３ａの両側端がスクリーン５の幅方向に広がるようになっている。流れ案内板６３は、壁部６３ａの一方の側端が他方の側端より下流側に位置するようになっている。
【００４４】
図２に示すように、壁部６３ａにおいて上流側にある他方の側端は、スクリーン５の幅方向に対向し上流から下流に向かって延びるスクリーン５の外縁近傍にある篩本体４の側壁４２，４２と当接している。
【００４５】
壁部６３ａにおいて下流側にある一方の側端は、スクリーン５の幅方向中央付近に位置している。
【００４６】
スクリーン５の外縁近傍を上流から下流に流れる篩分対象物が流れ案内板６３の壁部６３ａに到達すると、篩分対象物は壁部６３ａに沿って一方の側端に向かって案内される。この篩分対象物が案内される方向は、上流から下流に向かって流れる方向と異なっている。上記上面視逆Ｖ型板６１と同様に、流れ案内板６３は、スクリーン５の上流から下流の間で篩分対象物の流れを阻害し、篩分対象物がスクリーン５上に滞在する時間を長くすることができる。案内された篩分対象物は、壁部６３ａの一方の側端を越えて、再び下流に向かって流れる。
【００４７】
スクリーン５上を上流から下流に流れる篩分対象物の中に複数の固体から構成される塊があった場合、その塊が上面視逆Ｖ型板６１と同様に、流れ案内板６３の壁部６３ａに衝突することによって、その塊を複数の固体に分かれさせることができる。
【００４８】
上記実施形態では、篩装置１で篩分けされる対象物が木材チップである場合について説明したが、これに限定されることはない。篩分けされる対象物は、破砕された岩石、砂、土若しくは石炭等の鉱物、破砕されたセメント原料若しくはスラグ、破砕されたコンクリート若しくはアスファルト、破砕されたセラミックス、破砕されたガラス、破砕された氷、破砕された金属、破砕された繊維、パルプ、木材若しくは籾殻、破砕された紙、破砕された食品、破砕されたゴム若しくはプラスチック、破砕された厨芥、破砕された都市ゴミ、破砕された医療廃棄物、又は、粉体その他であってもよい。
【００４９】
上記実施形態では、篩本体４は、上面視で略矩形の箱体である場合について説明したが、これに限定されることはない。篩本体は、上面視で円形等の別の形状の箱体であってもよい。
【００５０】
上記実施形態では、スクリーン５の面が上流側から下流側に向かって傾斜した状態となっている場合について説明したが、これに限定されることはない。スクリーンの面が水平となっていてもよい。
【００５１】
上記実施形態では、スクリーン５が、平面内での旋回運動をするようになっている場合について説明したが、これに限定されることはない。例えば、スクリーンに斜め前方への振動を連続的に発生させるように篩本体が運動する等、異なる種類の運動によって篩分けが行われるようになっていてもよい。
【００５２】
上記実施形態では、スクリーン５には、篩分効率向上具として、上面視逆Ｖ型板６１及び流れ案内板６２，６３が立設している場合について説明したが、これに限定されることはない。例えば、スクリーン５には、横断面が多角形の柱が篩分効率向上具として立設していてもよい。
【００５３】
上記実施形態では、篩分効率向上具である上面視逆Ｖ型板６１及び流れ案内板６２，６３は、それぞれ、スクリーン５に立設する方向に立ち上がる壁部６１ａ，６２ａ，６３ａと、壁部６１ａ，６２ａ，６３ａの下端からスクリーン５の表面に沿って延びる基部６１ｂ，６２ｂ，６３ｂとを有する場合について説明したが、これに限定されることはない。篩分効率向上具である上面視逆Ｖ型板及び流れ案内板は、スクリーンから立設可能となっているならば、他の構成であってもよい。
【００５４】
上記実施形態では、ボルト及びナットによって、上面視逆Ｖ型板６１及び流れ案内板６２，６３をスクリーン５に取り付けることも取り外すこともできる場合について説明したが、これに限定されることはない。例えば、磁石などによって、篩分効率向上具がスクリーンに取り付け及び取り外し自在となっていてもよい。
【００５５】
上記実施形態では、上面視逆Ｖ型板６１はそれぞれの板材の二つの平面がなす角部を有している場合について説明したが、これに限定されることはない。上面視逆Ｖ型板は、例えば、二つの曲面がなす角部又は尖った縁部を有していてもよい。
【００５６】
上記実施形態では、図に示すように、流れ案内板６２，６３の壁部６２ａ，６３ａが平板である場合について説明したが、これに限定されることはない。流れ案内板の壁部は、例えば湾曲している板であってもよい。
【符号の説明】
【００５７】
１              篩装置
２              架台
３              篩支持体
４              篩本体
５              スクリーン
２１            駆動部
４１            上流壁
４２            側壁
４３            通過物排出口
５１            孔
６１            上面視逆Ｖ型板
６１ａ          壁部
６１ｂ          基部
６２，６３      流れ案内板
６２ａ，６３ａ  壁部
６２ｂ，６３ｂ  基部
【図１】
2018043201.tif 000003
【図２】
2018043201.tif 000004
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
篩分対象物が投入されて、スクリーンの表面に直接載置された状態となる位置を上流とし、篩分けられた残留物が排出される位置を下流とし、前記篩分対象物が前記前記スクリーンの表面に載置された状態を維持しながら、前記スクリーンの振動によって前記上流から前記下流に向かって流れることで、前記篩分対象物が篩分けられるようになっている篩装置のスクリーンにおいて、
前記スクリーンの表面から立設されている剛体であって、
前記スクリーンと一体となって振動することによって、前記スクリーンの表面において、前記篩分対象物が上流から下流へと流れることを阻害し、前記篩分対象物が前記スクリーンの表面に滞在する時間を長くするとともに、前記スクリーンの表面を流れる前記篩分対象物の塊が衝突して分割されるようになっていることを特徴とする篩装置のスクリーン用の流れ阻害具。
【請求項２】
前記篩装置のスクリーン用の流れ阻害具は、前記スクリーンと一体となって旋回運動をするようになっていることを特徴とする請求項１に記載の篩装置のスクリーン用の流れ阻害具。
【請求項３】
前記篩装置のスクリーン用の流れ阻害具は、前記スクリーンに取り付け及び取り外し自在となっていることを特徴とする請求項１又は２に記載の篩装置のスクリーン用の流れ阻害具。
【請求項４】
前記篩装置のスクリーン用の流れ阻害具は、二つの平面がなす角部又は二つの曲面がなす尖った縁部を有しており、これらの角部及び尖った縁部の先端は、前記スクリーンの表面における前記篩分対象物の流れの方向とは反対方向に向くように配置されているものを含むことを特徴とする請求項１から３のいずれかに記載の篩装置のスクリーン用の流れ阻害具。
【請求項５】
前記篩装置のスクリーン用の流れ阻害具は、前記角部又は前記尖った縁部に向かって前記篩分対象物の流れを案内するように設けられているものを含むことを特徴とする請求項４に記載の篩装置のスクリーン用の流れ阻害具。
【請求項６】
前記篩装置のスクリーン用の流れ阻害具は、前記スクリーンの幅方向に対向し上流から下流に向かって延びる前記スクリーンの外縁近傍から前記スクリーンの幅方向中央に向かって前記篩分対象物の流れを案内するように設けられているものを含むことを特徴とする請求項１から５のいずれかに記載の篩装置のスクリーン用の流れ阻害具。
【請求項７】
篩分対象物が投入されて、その表面に直接載置された状態となる位置を上流とし、篩分けられた残留物が排出される位置を下流とし、前記篩分対象物が前記表面に直接載置された状態を維持しながら前記上流から前記下流に向かって流れることで、前記篩分対象物が篩分けられるようになっている篩装置用のスクリーンであって、
請求項１から６のいずれかの篩装置のスクリーン用の流れ阻害具を有することを特徴とする篩装置用のスクリーン。
【請求項８】
篩分対象物が投入されて、その表面に直接載置された状態となる位置を上流とし、篩分けられた残留物が排出される位置を下流とし、前記篩分対象物が前記表面に直接載置された状態を維持しながら前記上流から前記下流に向かって流れることで、前記篩分対象物が篩分けられるようになっている篩装置のスクリーンを有している篩装置であって、
請求項７の篩装置用のスクリーンを備えること特徴とする篩装置。
【手続補正２】
【補正対象書類名】明細書
【補正対象項目名】全文
【補正方法】変更
【補正の内容】
【発明の詳細な説明】
【技術分野】
【０００１】
本発明は、篩装置に関するものであり、特に篩分対象物がスクリーン上に滞在する時間を長くすることができる篩装置のスクリーン用の流れ阻害具、篩装置用のスクリーン及び篩装置に関する。
【背景技術】
【０００２】
多様な大きさの固体を含む対象物を、大きさごとに連続して大量に分離するために篩装置が用いられる。
【０００３】
このような篩装置として、特許文献１に示すものがある。特許文献１に記載の篩装置は、スクリーンである篩網へ篩分対象物である破砕産物を投入して篩分け処理をする。投入された破砕産物は、篩網の上流から下流に向かって流れる過程で、スクリーンを通過する固体とスクリーン上に留まる固体とに分離されることとなる。
【先行技術文献】
【特許文献】
【０００４】
【特許文献１】特開平１０−５２６５０号公報
【発明の概要】
【発明が解決しようとする課題】
【０００５】
上記特許文献１に示すような篩装置では、篩運動条件、篩分対象物の形状及び大きさ、並びに、スクリーンの穴の形状及び配置等の様々な要因によって、篩分対象物が篩網上で上流から下流に向かって流れる過程で、篩分対象物を大きさごとに十分に分離できず篩分効率が向上しないという問題がある。
【０００６】
そこで、上記点より本発明は、篩分効率を向上させた篩装置のスクリーン用の流れ阻害具、篩分効率を向上させた篩装置のスクリーン及び篩分効率を向上させた篩装置を提供することを目的とする。
【課題を解決するための手段】
【０００７】
上記課題を解決するため、請求項１の篩装置のスクリーン用の流れ阻害具は、篩分対象物が投入されて、スクリーンの表面に直接載置された状態となる位置を上流とし、篩分けられた残留物が排出される位置を下流とし、前記篩分対象物が前記前記スクリーンの表面に載置された状態を維持しながら、前記スクリーンの振動によって前記上流から前記下流に向かって流れることで、前記篩分対象物が篩分けられるようになっている篩装置のスクリーンにおいて、前記スクリーンの表面から立設されている剛体であって、前記スクリーンと一体となって振動することによって、前記スクリーンの表面において、前記篩分対象物が上流から下流へと流れることを阻害し、前記篩分対象物が前記スクリーンの表面に滞在する時間を長くするとともに、前記スクリーンの表面を流れる前記篩分対象物の塊が衝突して分割されるようになっている。
【０００８】
請求項１の篩装置のスクリーン用の流れ阻害具によれば、篩分対象物がスクリーン上に滞在する時間を長くするようになっているので、篩分効率を向上させることができる。そのため、十分に分離できなかった篩分対象物をスクリーンの下流から上流に向かって戻すラインを別途設ける必要がない、若しくは、戻りラインで戻す回数を減らすことができる。したがって、篩分けに必要なエネルギーを抑制することができる。
【０００９】
また、請求項１の篩装置のスクリーン用の流れ阻害具によれば、スクリーンの表面を流れる篩分対象物の塊が流れ阻害具に衝突して分割されるので、篩分効率をより向上させることができる。
【００１０】
請求項２の篩装置のスクリーン用の流れ阻害具は、請求項１の篩装置のスクリーン用の流れ阻害具において、前記スクリーンと一体となって旋回運動をするようになっている。
【００１１】
請求項３の篩装置のスクリーン用の流れ阻害具は、請求項１又は２の篩装置のスクリーン用の流れ阻害具において、前記スクリーンに取り付け及び取り外し自在となっている。
【００１２】
請求項３の篩装置のスクリーン用の流れ阻害具によれば、請求項１又は２の篩装置のスクリーン用の流れ阻害具と同様に作用する上に、既存の篩装置のスクリーンに取り付けることができる。また、篩分対象物がスクリーン上に滞在する時間をより長くすることができるように、スクリーンの任意の位置に取り付けることが可能となる。そのため、篩分対象物又は篩運動等に応じて、より篩分効率向上を実現することができる。
【００１３】
請求項４の篩装置のスクリーン用の流れ阻害具は、請求項１から３のいずれかに記載の篩装置のスクリーン用の流れ阻害具において、二つの平面がなす角部又は二つの曲面がなす尖った縁部を有しており、これらの角部及び尖った縁部の先端は、前記スクリーンの表面における前記篩分対象物の流れの方向とは反対方向に向くように配置されているものを含む。
【００１４】
篩分対象物は、複数の固体が塊となっている場合がある、その塊がスクリーンの孔より大きい場合、その塊はスクリーンを通過できない。そのため、塊を構成する複数の固体は篩分けされずとして下流から排出されてしまうこととなる。請求項４の篩装置のスクリーン用の流れ阻害具によれば、請求項１から３のいずれかの篩装置のスクリーン用の流れ阻害具と同様に作用する上に、塊が上流から下流に向かって流れる過程で篩装置のスクリーン用の流れ阻害具の角部又は尖った縁部に衝突すると、塊が複数の固体に分かれる。分かれた固体はスクリーンで篩分け可能となるので、さらに篩分効率向上を実現することができる。
【００１５】
請求項５の篩装置のスクリーン用の流れ阻害具は、請求項４の篩装置のスクリーン用の流れ阻害具において、前記角部又は前記尖った縁部に向かって前記篩分対象物の流れを案内するように設けられているものを含む。
【００１６】
請求項５の篩装置のスクリーン用の流れ阻害具によれば、請求項４の篩装置のスクリーン用の流れ阻害具と同様に作用する上に、請求項４の篩装置のスクリーン用の流れ阻害具の角部又は尖った縁部に向かって、請求項５の篩装置のスクリーン用の流れ阻害具が篩分対象物の流れを案内することとなる。これにより、篩分対象物に含まれ、スクリーンの孔より大きな塊を請求項４の篩装置のスクリーン用の流れ阻害具の角部又は尖った縁部に衝突させる確率を向上させることができる。この衝突よって、塊が複数の固体に分かれる。分かれた固体はスクリーンで篩分け可能となるので、さらに篩分効率向上を実現することができる。
【００１７】
請求項６の篩装置のスクリーン用の流れ阻害具は、請求項１から５のいずれかの流れ阻害具において、前記スクリーンの幅方向に対向し上流から下流に向かって延びる前記スクリーンの外縁近傍から前記スクリーンの幅方向中央に向かって前記篩分対象物の流れを案内するように設けられているものを含む。
【００１８】
篩装置において、スクリーンを支持するために、スクリーンの外縁近傍には穴が形成できない場合がある。そのため、スクリーンの幅方向に対向し上流から下流に向かって延びるスクリーンの外縁近傍では篩分対象物を篩分けることができない領域となる。上流から下流に至るまで篩分対象物がこの領域を流れてしまうことで、篩分効率が低下してしまうことがある。
【００１９】
請求項６の篩装置のスクリーン用の流れ阻害具によれば、請求項１から５のいずれかの篩装置のスクリーン用の流れ阻害具と同様に作用する上に、スクリーンの外縁近傍を流れる篩分け対象部をスクリーンの幅方向中央に向かって案内することで、篩分効率を向上させることができる。
【００２０】
請求項７の篩装置用のスクリーンは、篩分対象物が投入されて、その表面に直接載置された状態となる位置を上流とし、篩分けられた残留物が排出される位置を下流とし、前記篩分対象物が前記表面に直接載置された状態を維持しながら前記上流から前記下流に向かって流れることで、前記篩分対象物が篩分けられるようになっている篩装置用のスクリーンであって、請求項１から６のいずれかの篩装置のスクリーン用の流れ阻害具を有する。
【００２１】
請求項８の篩装置は、篩分対象物が投入されて、その表面に直接載置された状態となる位置を上流とし、篩分けられた残留物が排出される位置を下流とし、前記篩分対象物が前記表面に直接載置された状態を維持しながら前記上流から前記下流に向かって流れることで、前記篩分対象物が篩分けられるようになっている篩装置のスクリーンを有している篩装置であって、請求項７の篩装置用のスクリーンを備える。
【００２２】
請求項７の篩装置用のスクリーン及び請求項８の篩装置は、請求項１から６のいずれかと同様の作用効果を有する。
【発明の効果】
【００２３】
請求項１から６の篩装置のスクリーン用の流れ阻害具、請求項７の篩装置用のスクリーン及び請求項８の篩装置は、優れた篩分効率を実現することができる。
【図面の簡単な説明】
【００２４】
【図１】本発明の篩装置のスクリーン用の流れ阻害具を有する篩装置の側面方向からの概略斜視図である。
【図２】図１の篩装置の正面方向からの概略斜視図である。
【発明を実施するための形態】
【００２５】
本発明の一実施形態の篩装置１について、図面に基づいて説明する。
【００２６】
篩装置１は、図１に示すように、架台２と、架台２に対して揺動可能に取り付けられている篩支持体３と、篩支持体３に支持される篩本体４とを有する。
【００２７】
本実施形態の篩装置１で篩分けされる対象物は、木材チップである。
【００２８】
架台２には、篩支持体３を運動させる駆動部２１が収容されている。この駆動部２１が篩支持体３を運動させることによって、篩支持体３と篩本体４とが一体となって運動するようになっている。
【００２９】
篩本体４は、上面視で略矩形の箱体である。篩本体４は、図１の側面方向からの斜視図において、右側が上流となっており、左側が下流となっている。また、篩本体４は、図２の正面方向からの斜視図において、奥側が上流となっており、手前側が下流となっている。篩本体４は、図２の正面方向からの斜視図において、左右方向が幅方向となっている。
【００３０】
篩本体４は、図１及び図２に示すように、上流壁４１及び側壁４２，４２を有する。箱本体４の下流側には壁がなく開放されている。上流壁４１及び側壁４２，４２に囲まれた空間にはスクリーン５が敷設されている。側壁４２，４２は、スクリーン５の幅方向に対向し上流から下流に向かって延びるスクリーン５の外縁近傍にある。本実施形態では、スクリーン５の面は上流側から下流側に向かって傾斜した状態となっている。
【００３１】
スクリーン５の上流側に、篩分対象物が投入されるようになっている。篩本体４が運動することによって、投入された篩分対象物はスクリーン５上を下流に向かって流れていくようになっている。本実施形態では、スクリーン５が、平面内での旋回運動をするようになっている。
【００３２】
図１に示すように、スクリーン５には所定の大きさの孔５１が多数設けられている。スクリーン５上を流れる篩分対象物の中で、孔５１よりも小さいものはスクリーン５を通過して篩分けされることとなる。篩分対象物が篩分けられ、スクリーン５上に残った残留物は、箱本体４の下流側の開放されている部分から排出されるようになっている。また孔５１を通してスクリーン５を通過した通過物は残留物が排出される位置より、スクリーン５の下方かつ少し上流側の通過物排出口４３から排出されるようになっている。
【００３３】
スクリーン５には、篩装置のスクリーン用の流れ阻害具として、上面視逆Ｖ型板６１及び流れ案内板６２，６３が立設している。
【００３４】
上面視逆Ｖ型板６１は、図２に示すように、スクリーン５に立設する方向に立ち上がる壁部６１ａと、壁部６１ａの下端からスクリーン５の表面に沿って延びる基部６１ｂとを有する。
【００３５】
同様に、流れ案内板６２，６３は、図２に示すように、それぞれスクリーン５に立設する方向に立ち上がる壁部６２ａ，６３ａと、壁部６２ａ，６３ａの下端からスクリーン５の表面に沿って延びる基部６２ｂ，６３ｂとを有する。
【００３６】
上面視逆Ｖ型板６１及び流れ案内板６２，６３は、スクリーン５に取り付け及び取り外し自在となっている。図１及び図２では記載を省略しているが、例えば、ボルト及びナットによって、上面視逆Ｖ型板６１の基部６１ｂ及び流れ案内板６２，６３の基部６２ｂ，６３ｂがスクリーン５に当接した状態で固定可能となっている。
【００３７】
図２に示すように、上面視逆Ｖ型板６１の基部６１ｂ及び流れ案内板６２，６３の基部６２ｂ，６３ｂは、スクリーン５の表面に沿って下流側に向かって延びるように、スクリーン５に取り付けられるようになっている。上面視逆Ｖ型板６１の基部６１ｂ及び流れ案内板６２，６３の基部６２ｂ，６３ｂと、スクリーン５との段差に上流から下流に向かって流れる篩分対象物が貯まってしまわないようにするためである。
【００３８】
上面視逆Ｖ型板６１は、壁部６１ａ，６１ａの二つの平面がなす角部を有している。上面視逆Ｖ型板６１は、この角部の先端が篩分対象物の流れの方向とは反対方向に向くように配置されている。言い換えると、上面視逆Ｖ型板６１は、Ｖ型の折れている部分が上流側に向かって飛び出ているように配置されている。
【００３９】
スクリーン５上を上流から下流に流れる篩分対象物が上面視逆Ｖ型板６１の壁部６１ａに到達すると、篩分対象物は壁部６１ａに沿って側端に向かって案内される。この篩分対象物が案内される方向は、上流から下流に向かって流れる方向と異なっている。具体的には、篩分対象物が案内されている場合の上流から下流へ流れる方向の速度成分は、篩分対象物が案内されてない場合の上流から下流へ流れる方向の速度成分よりも小さくなっている。そのため、上面視逆Ｖ型板６１は、スクリーン５の上流から下流の間で篩分対象物の流れを阻害し、篩分対象物がスクリーン５上に滞在する時間を長くすることができる。案内された篩分対象物は、壁部６１ａの側端を越えて、再び下流に向かって流れる。
【００４０】
スクリーン５上を上流から下流に流れる篩分対象物の中に複数の固体から構成される塊があった場合、その塊が上面視逆Ｖ型板６１の角部や壁部６１ａに衝突することによって、その塊を複数の固体に分かれさせることができる。
【００４１】
図１及び図２に示すように、流れ案内板６２は、壁部６２ａの両側端がスクリーン５の幅方向に広がるようになっている。流れ案内板６２は、壁部６２ａの一方の側端が他方の側端より下流側に位置するようになっている。
【００４２】
スクリーン５上を上流から下流に流れる篩分対象物が流れ案内板６２の壁部６２ａに到達すると、篩分対象物は壁部６２ａに沿って一方の側端に向かって案内される。この篩分対象物が案内される方向は、上流から下流に向かって流れる方向と異なっている。上記上面視逆Ｖ型板６１と同様に、流れ案内板６２は、スクリーン５の上流から下流の間で篩分対象物の流れを阻害し、篩分対象物がスクリーン５上に滞在する時間を長くすることができる。案内された篩分対象物は、壁部６２ａの一方の側端を越えて、再び下流に向かって流れる。
【００４３】
スクリーン５上を上流から下流に流れる篩分対象物の中に複数の固体から構成される塊があった場合、その塊が上面視逆Ｖ型板６１と同様に、流れ案内板６２の壁部６２ａに衝突することによって、その塊を複数の固体に分かれさせることができる。
【００４４】
壁部６２ａの一方の側端の下流の位置に、上面視逆Ｖ型板６１の角部が配置されている。したがって、流れ案内板６２は、上面視逆Ｖ型板６１の角部に向かって篩分対象物の流れを案内するようになっている。
【００４５】
図１及び図２に示すように、流れ案内板６３も、流れ案内板６２と同様に、壁部６３ａの両側端がスクリーン５の幅方向に広がるようになっている。流れ案内板６３は、壁部６３ａの一方の側端が他方の側端より下流側に位置するようになっている。
【００４６】
図２に示すように、壁部６３ａにおいて上流側にある他方の側端は、スクリーン５の幅方向に対向し上流から下流に向かって延びるスクリーン５の外縁近傍にある篩本体４の側壁４２，４２と当接している。
【００４７】
壁部６３ａにおいて下流側にある一方の側端は、スクリーン５の幅方向中央付近に位置している。
【００４８】
スクリーン５の外縁近傍を上流から下流に流れる篩分対象物が流れ案内板６３の壁部６３ａに到達すると、篩分対象物は壁部６３ａに沿って一方の側端に向かって案内される。この篩分対象物が案内される方向は、上流から下流に向かって流れる方向と異なっている。上記上面視逆Ｖ型板６１と同様に、流れ案内板６３は、スクリーン５の上流から下流の間で篩分対象物の流れを阻害し、篩分対象物がスクリーン５上に滞在する時間を長くすることができる。案内された篩分対象物は、壁部６３ａの一方の側端を越えて、再び下流に向かって流れる。
【００４９】
スクリーン５上を上流から下流に流れる篩分対象物の中に複数の固体から構成される塊があった場合、その塊が上面視逆Ｖ型板６１と同様に、流れ案内板６３の壁部６３ａに衝突することによって、その塊を複数の固体に分かれさせることができる。
【００５０】
上記実施形態では、篩装置１で篩分けされる対象物が木材チップである場合について説明したが、これに限定されることはない。篩分けされる対象物は、破砕された岩石、砂、土若しくは石炭等の鉱物、破砕されたセメント原料若しくはスラグ、破砕されたコンクリート若しくはアスファルト、破砕されたセラミックス、破砕されたガラス、破砕された氷、破砕された金属、破砕された繊維、パルプ、木材若しくは籾殻、破砕された紙、破砕された食品、破砕されたゴム若しくはプラスチック、破砕された厨芥、破砕された都市ゴミ、破砕された医療廃棄物、又は、粉体その他であってもよい。
【００５１】
上記実施形態では、篩本体４は、上面視で略矩形の箱体である場合について説明したが、これに限定されることはない。篩本体は、上面視で円形等の別の形状の箱体であってもよい。
【００５２】
上記実施形態では、スクリーン５の面が上流側から下流側に向かって傾斜した状態となっている場合について説明したが、これに限定されることはない。スクリーンの面が水平となっていてもよい。
【００５３】
上記実施形態では、スクリーン５が、平面内での旋回運動をするようになっている場合について説明したが、これに限定されることはない。例えば、スクリーンに斜め前方への振動を連続的に発生させるように篩本体が運動する等、異なる種類の運動によって篩分けが行われるようになっていてもよい。
【００５４】
上記実施形態では、スクリーン５には、篩装置のスクリーン用の流れ阻害具として、上面視逆Ｖ型板６１及び流れ案内板６２，６３が立設している場合について説明したが、これに限定されることはない。例えば、スクリーン５には、横断面が多角形の柱が篩装置のスクリーン用の流れ阻害具として立設していてもよい。
【００５５】
上記実施形態では、篩装置のスクリーン用の流れ阻害具である上面視逆Ｖ型板６１及び流れ案内板６２，６３は、それぞれ、スクリーン５に立設する方向に立ち上がる壁部６１ａ，６２ａ，６３ａと、壁部６１ａ，６２ａ，６３ａの下端からスクリーン５の表面に沿って延びる基部６１ｂ，６２ｂ，６３ｂとを有する場合について説明したが、これに限定されることはない。篩装置のスクリーン用の流れ阻害具である上面視逆Ｖ型板及び流れ案内板は、スクリーンから立設可能となっているならば、他の構成であってもよい。
【００５６】
上記実施形態では、ボルト及びナットによって、上面視逆Ｖ型板６１及び流れ案内板６２，６３をスクリーン５に取り付けることも取り外すこともできる場合について説明したが、これに限定されることはない。例えば、磁石などによって、篩装置のスクリーン用の流れ阻害具がスクリーンに取り付け及び取り外し自在となっていてもよい。
【００５７】
上記実施形態では、上面視逆Ｖ型板６１はそれぞれの板材の二つの平面がなす角部を有している場合について説明したが、これに限定されることはない。上面視逆Ｖ型板は、例えば、二つの曲面がなす尖った縁部を有していてもよい。
【００５８】
上記実施形態では、図に示すように、流れ案内板６２，６３の壁部６２ａ，６３ａが平板である場合について説明したが、これに限定されることはない。流れ案内板の壁部は、例えば湾曲している板であってもよい。
【符号の説明】
【００５９】
１              篩装置
２              架台
３              篩支持体
４              篩本体
５              スクリーン
２１            駆動部
４１            上流壁
４２            側壁
４３            通過物排出口
５１            孔
６１            上面視逆Ｖ型板
６１ａ          壁部
６１ｂ          基部
６２，６３      流れ案内板
６２ａ，６３ａ  壁部
６２ｂ，６３ｂ  基部
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
篩分対象物を篩分けするための所定の大きさの孔が配設されており、前記篩分対象物が投入されて、スクリーンの表面に直接載置された状態となる位置を上流とし、篩分けられた残留物が排出される位置を下流とし、前記スクリーンの運動によって、前記上流から前記下流に向かって流れ、前記孔よりも小さい篩分対象物は、前記孔を通過して篩分けられ、前記スクリーンの表面上に残留する前記篩分対象物は前記残留物として排出される篩装置のスクリーンにおいて、
前記スクリーンの表面から立設されている剛体であって、
二つの平面がなす角部又は二つの曲面がなす尖った縁部を有しており、これらの角部及び尖った縁部の先端は、前記スクリーンの表面における前記篩分対象物の流れの方向とは反対方向に向くように配置されているものを含むことを特徴とする篩装置のスクリーン用の流れ阻害具。
【請求項２】
前記篩装置のスクリーン用の流れ阻害具は、前記スクリーンに取り付け及び取り外し自在となっていることを特徴とする請求項１に記載の篩装置のスクリーン用の流れ阻害具。
【請求項３】
前記篩装置のスクリーン用の流れ阻害具は、前記角部又は前記尖った縁部に向かって前記篩分対象物の流れを案内するように設けられているものを含むことを特徴とする請求項１又は２に記載の篩装置のスクリーン用の流れ阻害具。
【請求項４】
前記篩装置のスクリーン用の流れ阻害具は、前記スクリーンの幅方向に対向し上流から下流に向かって延びる前記スクリーンの外縁近傍から前記スクリーンの幅方向中央に向かって前記篩分対象物の流れを案内するように設けられているものを含むことを特徴とする請求項１から３のいずれかに記載の篩装置のスクリーン用の流れ阻害具。
【請求項５】
篩分対象物を篩分けするための所定の大きさの孔が配設されており、前記篩分対象物が投入されて、スクリーンの表面に直接載置された状態となる位置を上流とし、篩分けられた残留物が排出される位置を下流とし、前記スクリーンの運動によって、前記上流から前記下流に向かって流れ、前記孔よりも小さい篩分対象物は、前記孔を通過して篩分けられ、前記スクリーンの表面上に残留する前記篩分対象物は前記残留物として排出される篩装置用のスクリーンであって、
請求項１から４のいずれかの篩装置のスクリーン用の流れ阻害具を有することを特徴とする篩装置用のスクリーン。
【請求項６】
篩分対象物を篩分けするための所定の大きさの孔が配設されており、前記篩分対象物が投入されて、スクリーンの表面に直接載置された状態となる位置を上流とし、篩分けられた残留物が排出される位置を下流とし、前記スクリーンの運動によって、前記上流から前記下流に向かって流れ、前記孔よりも小さい篩分対象物は、前記孔を通過して篩分けられ、前記スクリーンの表面上に残留する前記篩分対象物は前記残留物として排出される篩装置用のスクリーンを有している篩装置であって、
請求項５の篩装置用のスクリーンを備えること特徴とする篩装置。
【手続補正２】
【補正対象書類名】明細書
【補正対象項目名】全文
【補正方法】変更
【補正の内容】
【発明の詳細な説明】
【技術分野】
【０００１】
本発明は、篩装置に関するものであり、特に篩分対象物がスクリーン上に滞在する時間を長くすることができる篩装置のスクリーン用の流れ阻害具、篩装置用のスクリーン及び篩装置に関する。
【背景技術】
【０００２】
多様な大きさの固体を含む対象物を、大きさごとに連続して大量に分離するために篩装置が用いられる。
【０００３】
このような篩装置として、特許文献１に示すものがある。特許文献１に記載の篩装置は、スクリーンである篩網へ篩分対象物である破砕産物を投入して篩分け処理をする。投入された破砕産物は、篩網の上流から下流に向かって流れる過程で、スクリーンを通過する固体とスクリーン上に留まる固体とに分離されることとなる。
【先行技術文献】
【特許文献】
【０００４】
【特許文献１】特開平１０−５２６５０号公報
【発明の概要】
【発明が解決しようとする課題】
【０００５】
上記特許文献１に示すような篩装置では、篩運動条件、篩分対象物の形状及び大きさ、並びに、スクリーンの穴の形状及び配置等の様々な要因によって、篩分対象物が篩網上で上流から下流に向かって流れる過程で、篩分対象物を大きさごとに十分に分離できず篩分効率が向上しないという問題がある。
【０００６】
そこで、上記点より本発明は、篩分効率を向上させた篩装置のスクリーン用の流れ阻害具、篩分効率を向上させた篩装置のスクリーン及び篩分効率を向上させた篩装置を提供することを目的とする。
【課題を解決するための手段】
【０００７】
上記課題を解決するため、請求項１の篩装置のスクリーン用の流れ阻害具は、篩分対象物を篩分けするための所定の大きさの孔が配設されており、前記篩分対象物が投入されて、スクリーンの表面に直接載置された状態となる位置を上流とし、篩分けられた残留物が排出される位置を下流とし、前記スクリーンの運動によって、前記上流から前記下流に向かって流れ、前記孔よりも小さい篩分対象物は、前記孔を通過して篩分けられ、前記スクリーンの表面上に残留する前記篩分対象物は前記残留物として排出される篩装置のスクリーンにおいて、前記スクリーンの表面から立設されている剛体であって、二つの平面がなす角部又は二つの曲面がなす尖った縁部を有しており、これらの角部及び尖った縁部の先端は、前記スクリーンの表面における前記篩分対象物の流れの方向とは反対方向に向くように配置されているものを含む。
【０００８】
請求項１の篩装置のスクリーン用の流れ阻害具によれば、篩分対象物がスクリーン上に滞在する時間を長くするようになっているので、篩分効率を向上させることができる。そのため、十分に分離できなかった篩分対象物をスクリーンの下流から上流に向かって戻すラインを別途設ける必要がない、若しくは、戻りラインで戻す回数を減らすことができる。したがって、篩分けに必要なエネルギーを抑制することができる。
【０００９】
また、請求項１の篩装置のスクリーン用の流れ阻害具によれば、スクリーンの表面を流れる篩分対象物の塊が流れ阻害具に衝突して分割されるので、篩分効率をより向上させることができる。
【００１０】
さらに、請求項１の篩装置のスクリーン用の流れ阻害具によれば、塊が上流から下流に向かって流れる過程で篩装置のスクリーン用の流れ阻害具の角部又は尖った縁部に衝突すると、塊が複数の固体に分かれる。分かれた固体はスクリーンで篩分け可能となるので、さらに篩分効率向上を実現することができる。
【００１１】
請求項２の篩装置のスクリーン用の流れ阻害具は、請求項１の篩装置のスクリーン用の流れ阻害具において、前記スクリーンに取り付け及び取り外し自在となっている。
【００１２】
請求項２の篩装置のスクリーン用の流れ阻害具によれば、請求項１の篩装置のスクリーン用の流れ阻害具と同様に作用する上に、既存の篩装置のスクリーンに取り付けることができる。また、篩分対象物がスクリーン上に滞在する時間をより長くすることができるように、スクリーンの任意の位置に取り付けることが可能となる。そのため、篩分対象物又は篩運動等に応じて、より篩分効率向上を実現することができる。
【００１３】
請求項３の篩装置のスクリーン用の流れ阻害具は、請求項１又は２の篩装置のスクリーン用の流れ阻害具において、前記角部又は前記尖った縁部に向かって前記篩分対象物の流れを案内するように設けられているものを含む。
【００１４】
請求項３の篩装置のスクリーン用の流れ阻害具によれば、請求項１又は２の篩装置のスクリーン用の流れ阻害具と同様に作用する上に、請求項１又は２の篩装置のスクリーン用の流れ阻害具の角部又は尖った縁部に向かって、請求項３の篩装置のスクリーン用の流れ阻害具が篩分対象物の流れを案内することとなる。これにより、篩分対象物に含まれ、スクリーンの孔より大きな塊を請求項１又は２の篩装置のスクリーン用の流れ阻害具の角部又は尖った縁部に衝突させる確率を向上させることができる。この衝突よって、塊が複数の固体に分かれる。分かれた固体はスクリーンで篩分け可能となるので、さらに篩分効率向上を実現することができる。
【００１５】
請求項４の篩装置のスクリーン用の流れ阻害具は、請求項１から３のいずれかの流れ阻害具において、前記スクリーンの幅方向に対向し上流から下流に向かって延びる前記スクリーンの外縁近傍から前記スクリーンの幅方向中央に向かって前記篩分対象物の流れを案内するように設けられているものを含む。
【００１６】
篩装置において、スクリーンを支持するために、スクリーンの外縁近傍には穴が形成できない場合がある。そのため、スクリーンの幅方向に対向し上流から下流に向かって延びるスクリーンの外縁近傍では篩分対象物を篩分けることができない領域となる。上流から下流に至るまで篩分対象物がこの領域を流れてしまうことで、篩分効率が低下してしまうことがある。
【００１７】
請求項４の篩装置のスクリーン用の流れ阻害具によれば、請求項１から３のいずれかの篩装置のスクリーン用の流れ阻害具と同様に作用する上に、スクリーンの外縁近傍を流れる篩分け対象部をスクリーンの幅方向中央に向かって案内することで、篩分効率を向上させることができる。
【００１８】
請求項５の篩装置用のスクリーンは、篩分対象物を篩分けするための所定の大きさの孔が配設されており、前記篩分対象物が投入されて、スクリーンの表面に直接載置された状態となる位置を上流とし、篩分けられた残留物が排出される位置を下流とし、前記スクリーンの運動によって、前記上流から前記下流に向かって流れ、前記孔よりも小さい篩分対象物は、前記孔を通過して篩分けられ、前記スクリーンの表面上に残留する前記篩分対象物は前記残留物として排出される篩装置用のスクリーンであって、請求項１から４のいずれかの篩装置のスクリーン用の流れ阻害具を有する。
【００１９】
請求項６の篩装置は、篩分対象物を篩分けするための所定の大きさの孔が配設されており、前記篩分対象物が投入されて、スクリーンの表面に直接載置された状態となる位置を上流とし、篩分けられた残留物が排出される位置を下流とし、前記スクリーンの運動によって、前記上流から前記下流に向かって流れ、前記孔よりも小さい篩分対象物は、前記孔を通過して篩分けられ、前記スクリーンの表面上に残留する前記篩分対象物は前記残留物として排出される篩装置用のスクリーンを有している篩装置であって、請求項５の篩装置用のスクリーンを備える。
【００２０】
請求項５の篩装置用のスクリーン及び請求項６の篩装置は、請求項１から４のいずれかと同様の作用効果を有する。
【発明の効果】
【００２１】
請求項１から４の篩装置のスクリーン用の流れ阻害具、請求項５の篩装置用のスクリーン及び請求項６の篩装置は、優れた篩分効率を実現することができる。
【図面の簡単な説明】
【００２２】
【図１】本発明の篩装置のスクリーン用の流れ阻害具を有する篩装置の側面方向からの概略斜視図である。
【図２】図１の篩装置の正面方向からの概略斜視図である。
【発明を実施するための形態】
【００２３】
本発明の一実施形態の篩装置１について、図面に基づいて説明する。
【００２４】
篩装置１は、図１に示すように、架台２と、架台２に対して揺動可能に取り付けられている篩支持体３と、篩支持体３に支持される篩本体４とを有する。
【００２５】
本実施形態の篩装置１で篩分けされる対象物は、木材チップである。
【００２６】
架台２には、篩支持体３を運動させる駆動部２１が収容されている。この駆動部２１が篩支持体３を運動させることによって、篩支持体３と篩本体４とが一体となって運動するようになっている。
【００２７】
篩本体４は、上面視で略矩形の箱体である。篩本体４は、図１の側面方向からの斜視図において、右側が上流となっており、左側が下流となっている。また、篩本体４は、図２の正面方向からの斜視図において、奥側が上流となっており、手前側が下流となっている。篩本体４は、図２の正面方向からの斜視図において、左右方向が幅方向となっている。
【００２８】
篩本体４は、図１及び図２に示すように、上流壁４１及び側壁４２，４２を有する。箱本体４の下流側には壁がなく開放されている。上流壁４１及び側壁４２，４２に囲まれた空間にはスクリーン５が敷設されている。側壁４２，４２は、スクリーン５の幅方向に対向し上流から下流に向かって延びるスクリーン５の外縁近傍にある。本実施形態では、スクリーン５の面は上流側から下流側に向かって傾斜した状態となっている。
【００２９】
スクリーン５の上流側に、篩分対象物が投入されるようになっている。篩本体４が運動することによって、投入された篩分対象物はスクリーン５上を下流に向かって流れていくようになっている。本実施形態では、スクリーン５が、平面内での旋回運動をするようになっている。
【００３０】
図１に示すように、スクリーン５には所定の大きさの孔５１が多数設けられている。スクリーン５上を流れる篩分対象物の中で、孔５１よりも小さいものはスクリーン５を通過して篩分けされることとなる。篩分対象物が篩分けられ、スクリーン５上に残った残留物は、箱本体４の下流側の開放されている部分から排出されるようになっている。また孔５１を通してスクリーン５を通過した通過物は残留物が排出される位置より、スクリーン５の下方かつ少し上流側の通過物排出口４３から排出されるようになっている。
【００３１】
スクリーン５には、篩装置のスクリーン用の流れ阻害具として、上面視逆Ｖ型板６１及び流れ案内板６２，６３が立設している。
【００３２】
上面視逆Ｖ型板６１は、図２に示すように、スクリーン５に立設する方向に立ち上がる壁部６１ａと、壁部６１ａの下端からスクリーン５の表面に沿って延びる基部６１ｂとを有する。
【００３３】
同様に、流れ案内板６２，６３は、図２に示すように、それぞれスクリーン５に立設する方向に立ち上がる壁部６２ａ，６３ａと、壁部６２ａ，６３ａの下端からスクリーン５の表面に沿って延びる基部６２ｂ，６３ｂとを有する。
【００３４】
上面視逆Ｖ型板６１及び流れ案内板６２，６３は、スクリーン５に取り付け及び取り外し自在となっている。図１及び図２では記載を省略しているが、例えば、ボルト及びナットによって、上面視逆Ｖ型板６１の基部６１ｂ及び流れ案内板６２，６３の基部６２ｂ，６３ｂがスクリーン５に当接した状態で固定可能となっている。
【００３５】
図２に示すように、上面視逆Ｖ型板６１の基部６１ｂ及び流れ案内板６２，６３の基部６２ｂ，６３ｂは、スクリーン５の表面に沿って下流側に向かって延びるように、スクリーン５に取り付けられるようになっている。上面視逆Ｖ型板６１の基部６１ｂ及び流れ案内板６２，６３の基部６２ｂ，６３ｂと、スクリーン５との段差に上流から下流に向かって流れる篩分対象物が貯まってしまわないようにするためである。
【００３６】
上面視逆Ｖ型板６１は、壁部６１ａ，６１ａの二つの平面がなす角部を有している。上面視逆Ｖ型板６１は、この角部の先端が篩分対象物の流れの方向とは反対方向に向くように配置されている。言い換えると、上面視逆Ｖ型板６１は、Ｖ型の折れている部分が上流側に向かって飛び出ているように配置されている。
【００３７】
スクリーン５上を上流から下流に流れる篩分対象物が上面視逆Ｖ型板６１の壁部６１ａに到達すると、篩分対象物は壁部６１ａに沿って側端に向かって案内される。この篩分対象物が案内される方向は、上流から下流に向かって流れる方向と異なっている。具体的には、篩分対象物が案内されている場合の上流から下流へ流れる方向の速度成分は、篩分対象物が案内されてない場合の上流から下流へ流れる方向の速度成分よりも小さくなっている。そのため、上面視逆Ｖ型板６１は、スクリーン５の上流から下流の間で篩分対象物の流れを阻害し、篩分対象物がスクリーン５上に滞在する時間を長くすることができる。案内された篩分対象物は、壁部６１ａの側端を越えて、再び下流に向かって流れる。
【００３８】
スクリーン５上を上流から下流に流れる篩分対象物の中に複数の固体から構成される塊があった場合、その塊が上面視逆Ｖ型板６１の角部や壁部６１ａに衝突することによって、その塊を複数の固体に分かれさせることができる。
【００３９】
図１及び図２に示すように、流れ案内板６２は、壁部６２ａの両側端がスクリーン５の幅方向に広がるようになっている。流れ案内板６２は、壁部６２ａの一方の側端が他方の側端より下流側に位置するようになっている。
【００４０】
スクリーン５上を上流から下流に流れる篩分対象物が流れ案内板６２の壁部６２ａに到達すると、篩分対象物は壁部６２ａに沿って一方の側端に向かって案内される。この篩分対象物が案内される方向は、上流から下流に向かって流れる方向と異なっている。上記上面視逆Ｖ型板６１と同様に、流れ案内板６２は、スクリーン５の上流から下流の間で篩分対象物の流れを阻害し、篩分対象物がスクリーン５上に滞在する時間を長くすることができる。案内された篩分対象物は、壁部６２ａの一方の側端を越えて、再び下流に向かって流れる。
【００４１】
スクリーン５上を上流から下流に流れる篩分対象物の中に複数の固体から構成される塊があった場合、その塊が上面視逆Ｖ型板６１と同様に、流れ案内板６２の壁部６２ａに衝突することによって、その塊を複数の固体に分かれさせることができる。
【００４２】
壁部６２ａの一方の側端の下流の位置に、上面視逆Ｖ型板６１の角部が配置されている。したがって、流れ案内板６２は、上面視逆Ｖ型板６１の角部に向かって篩分対象物の流れを案内するようになっている。
【００４３】
図１及び図２に示すように、流れ案内板６３も、流れ案内板６２と同様に、壁部６３ａの両側端がスクリーン５の幅方向に広がるようになっている。流れ案内板６３は、壁部６３ａの一方の側端が他方の側端より下流側に位置するようになっている。
【００４４】
図２に示すように、壁部６３ａにおいて上流側にある他方の側端は、スクリーン５の幅方向に対向し上流から下流に向かって延びるスクリーン５の外縁近傍にある篩本体４の側壁４２，４２と当接している。
【００４５】
壁部６３ａにおいて下流側にある一方の側端は、スクリーン５の幅方向中央付近に位置している。
【００４６】
スクリーン５の外縁近傍を上流から下流に流れる篩分対象物が流れ案内板６３の壁部６３ａに到達すると、篩分対象物は壁部６３ａに沿って一方の側端に向かって案内される。この篩分対象物が案内される方向は、上流から下流に向かって流れる方向と異なっている。上記上面視逆Ｖ型板６１と同様に、流れ案内板６３は、スクリーン５の上流から下流の間で篩分対象物の流れを阻害し、篩分対象物がスクリーン５上に滞在する時間を長くすることができる。案内された篩分対象物は、壁部６３ａの一方の側端を越えて、再び下流に向かって流れる。
【００４７】
スクリーン５上を上流から下流に流れる篩分対象物の中に複数の固体から構成される塊があった場合、その塊が上面視逆Ｖ型板６１と同様に、流れ案内板６３の壁部６３ａに衝突することによって、その塊を複数の固体に分かれさせることができる。
【００４８】
上記実施形態では、篩装置１で篩分けされる対象物が木材チップである場合について説明したが、これに限定されることはない。篩分けされる対象物は、破砕された岩石、砂、土若しくは石炭等の鉱物、破砕されたセメント原料若しくはスラグ、破砕されたコンクリート若しくはアスファルト、破砕されたセラミックス、破砕されたガラス、破砕された氷、破砕された金属、破砕された繊維、パルプ、木材若しくは籾殻、破砕された紙、破砕された食品、破砕されたゴム若しくはプラスチック、破砕された厨芥、破砕された都市ゴミ、破砕された医療廃棄物、又は、粉体その他であってもよい。
【００４９】
上記実施形態では、篩本体４は、上面視で略矩形の箱体である場合について説明したが、これに限定されることはない。篩本体は、上面視で円形等の別の形状の箱体であってもよい。
【００５０】
上記実施形態では、スクリーン５の面が上流側から下流側に向かって傾斜した状態となっている場合について説明したが、これに限定されることはない。スクリーンの面が水平となっていてもよい。
【００５１】
上記実施形態では、スクリーン５が、平面内での旋回運動をするようになっている場合について説明したが、これに限定されることはない。例えば、スクリーンに斜め前方への振動を連続的に発生させるように篩本体が運動する等、異なる種類の運動によって篩分けが行われるようになっていてもよい。
【００５２】
上記実施形態では、スクリーン５には、篩装置のスクリーン用の流れ阻害具として、上面視逆Ｖ型板６１及び流れ案内板６２，６３が立設している場合について説明したが、これに限定されることはない。例えば、スクリーン５には、横断面が多角形の柱が篩装置のスクリーン用の流れ阻害具として立設していてもよい。
【００５３】
上記実施形態では、篩装置のスクリーン用の流れ阻害具である上面視逆Ｖ型板６１及び流れ案内板６２，６３は、それぞれ、スクリーン５に立設する方向に立ち上がる壁部６１ａ，６２ａ，６３ａと、壁部６１ａ，６２ａ，６３ａの下端からスクリーン５の表面に沿って延びる基部６１ｂ，６２ｂ，６３ｂとを有する場合について説明したが、これに限定されることはない。篩装置のスクリーン用の流れ阻害具である上面視逆Ｖ型板及び流れ案内板は、スクリーンから立設可能となっているならば、他の構成であってもよい。
【００５４】
上記実施形態では、ボルト及びナットによって、上面視逆Ｖ型板６１及び流れ案内板６２，６３をスクリーン５に取り付けることも取り外すこともできる場合について説明したが、これに限定されることはない。例えば、磁石などによって、篩装置のスクリーン用の流れ阻害具がスクリーンに取り付け及び取り外し自在となっていてもよい。
【００５５】
上記実施形態では、上面視逆Ｖ型板６１はそれぞれの板材の二つの平面がなす角部を有している場合について説明したが、これに限定されることはない。上面視逆Ｖ型板は、例えば、二つの曲面がなす尖った縁部を有していてもよい。
【００５６】
上記実施形態では、図に示すように、流れ案内板６２，６３の壁部６２ａ，６３ａが平板である場合について説明したが、これに限定されることはない。流れ案内板の壁部は、例えば湾曲している板であってもよい。
【符号の説明】
【００５７】
１              篩装置
２              架台
３              篩支持体
４              篩本体
５              スクリーン
２１            駆動部
４１            上流壁
４２            側壁
４３            通過物排出口
５１            孔
６１            上面視逆Ｖ型板
６１ａ          壁部
６１ｂ          基部
６２，６３      流れ案内板
６２ａ，６３ａ  壁部
６２ｂ，６３ｂ  基部